(57)【要約】【課題】  伝送リンクを確立すべき２つの通信装置を遠隔制御端末において選択するだけで、通信線路切替システムを構成する複数の通信線路切替装置を遠隔制御して通信線路の切替を行うようにすること。【解決手段】  遠隔制御コントローラ４０は、伝送リンク別の光線路切替情報等を蓄積したデータベースメモリを備えている。遠隔制御コントローラ４０は、ＬＡＮを介して遠隔制御端末３０から確立すべき伝送リンク指令を受信すると、指令された伝送リンクの光線路切替情報を前記データベースメモリから読み出し、この読み出した光線路切替情報に基づいて光線路切替装置ＳＷ１〜ＳＷ３をＬＡＮを介して遠隔制御し光線路を切替え、前記伝送リンクを確立する。【選択図】  図1
2005260804.tif 000002
【特許請求の範囲】
【請求項１】
複数の遠隔制御可能な通信線路切替装置、遠隔制御コントローラ、遠隔制御端末、及びこれらを接続するコンピュータネットワークとで構成された通信線路切替システムにおいて、前記遠隔制御コントローラは伝送リンク別の通信線路切替情報等を蓄積したデータベースメモリを備えたものであって、前記遠隔制御端末から指令された伝送リンクの通信線路切替情報を前記データベースメモリから読み出し、この読み出した光線路切替情報に基づいて前記通信線路切替装置を制御して通信線路を切替えて前記伝送リンクを確立するようにしたことを特徴とする通信線路切替システム。
【請求項２】
複数の遠隔制御可能な光線路切替装置、遠隔制御コントローラ、遠隔制御端末、及びこれらを接続するコンピュータネットワークとで構成された光線路切替システムにおいて、前記遠隔制御コントローラは伝送リンク別の光線路切替情報等を蓄積したデータベースメモリを備えたものであって、前記遠隔制御端末から指令された伝送リンクの光線路切替情報を前記データベースメモリから読み出し、この読み出した光線路切替情報に基づいて前記光線路切替装置を制御して制御して光線路を切替えて前記伝送リンクを確立するようにしたことを特徴とする光線路切替システム。
【発明の詳細な説明】
【技術分野】
【０００１】
本発明は、遠隔制御端末からコンピュータネットワークを介して通信線路切替装置を制御して通信線路の切替を行う通信線路切替システムに関し、特に、光線路切替装置を制御して光線路の切替を行う光線路切替システムに関する。
【背景技術】
【０００２】
本発明が適用される光線路切替システムを備えた通信システムは、例えば図４に示す如く、光線路切替装置ＳＷ１、光線路切替装置ＳＷ２、光線路切替装置ＳＷ３から成るシステムであって、所在地Ａに設置された複数の通信装置Ｔ１〜Ｔ５の任意の１つと、所在地Ｂに設置された複数の通信装置Ｔ６〜Ｔ９の任意の１つとのリンクを確立するためのシステムである。
【０００３】
所在地Ａの一つのフロアに設置された光線路切替装置ＳＷ１と、所在地Ａの別のフロアに設置された光線路切替装置ＳＷ２はいずれも、共通ポートＰ０と３つの接続ポートＰ１、Ｐ２、Ｐ３を備えた１対３スイッチである。また、所在地Ｂに設置された光線路切替装置ＳＷ３は、共通ポートＰ０と４つの接続ポートＰ１、Ｐ２、Ｐ３、Ｐ４を備えた１対４スイッチである。所在地Ａの別のフロアに設置された光線路切替装置ＳＷ２の共通ポートＰ０と所在地Ｂに設置された光線路切替装置ＳＷ３共通ポートＰ０は、光ケーブル２０で接続されている。所在地Ａにおいて、光線路切替装置ＳＷ１の共通ポートＰ０と光線路切替装置ＳＷ２の接続ポートＰ３は光ケーブル２１で接続されている。
【０００４】
所在地Ａの一つのフロアにおいて、通信装置Ｔ３は光線路切替装置ＳＷ１の接続ポートＰ１に光ケーブル１３を介して接続され、通信装置Ｔ４は光線路切替装置ＳＷ１の接続ポートＰ２に光ケーブル１４を介して接続され、更に、通信装置Ｔ５は光線路切替装置ＳＷ１の接続ポートＰ３に光ケーブル１５を介して接続されている。また、所在地Ａの別フロアにおいて、通信装置Ｔ１は光線路切替装置ＳＷ２の接続ポートＰ１に光ケーブル１１を介して接続され、通信装置Ｔ２は光線路切替装置ＳＷ２の接続ポートＰ２に光ケーブル１２を介して接続されている。
【０００５】
所在地Ｂにおいて、通信装置Ｔ６は光線路切替装置ＳＷ３の接続ポートＰ１に光ケーブル１６を介して接続され、通信装置Ｔ７は光線路切替装置ＳＷ３の接続ポートＰ２に光ケーブル１７を介して接続され、通信装置Ｔ８は光線路切替装置ＳＷ３の接続ポートＰ３に光ケーブル１８を介して接続され、更に、通信装置Ｔ９は光線路切替装置ＳＷ３の接続ポートＰ４に光ケーブル１９を介して接続されている。
【０００６】
光線路切替装置ＳＷ１〜ＳＷ３は、例えば図６に示す如く、光スイッチ５１、駆動部５２、制御部であるＣＰＵ５３、及び通信部であるネットワークインターフェース５４で構成されている。
【０００７】
特開２００３−２４９８９３号公報には、図４に示す光線路切替システムを遠隔制御端末から制御する従来の遠隔制御システムが開示されている。この従来の遠隔制御システムは、図５に示す如く、それぞれのネットワークインターフェース５４を介してローカルエリアネットワークＬＡＮに接続されている光線路切替装置ＳＷ１〜ＳＷ３と、そのネットワークインターフェースを介してローカルエリアネットワークＬＡＮに接続されているパソコンなどの遠隔制御端末３０とで構成されている。
【０００８】
この従来の遠隔制御システムによれば、図４に示す光線路切替システムの制御は次のように行われる。例えば所在地Ａに設置された通信装置Ｔ３と所在地Ｂに設置された通信装置Ｔ８との間に伝送リンクを確立する場合、作業員は遠隔制御端末３０を操作して光線路切替装置ＳＷ１を接続ポートＰ１に切替え、次に光線路切替装置ＳＷ２を接続ポートＰ３に切替え、更に光線路切替装置ＳＷ３を接続ポートＰ３に切替える。このように、遠隔制御端末３０を操作して光線路切替装置ＳＷ１〜ＳＷ３を個別に制御しなければならないので、作業員の制御操作と確認動作は光線路切替装置の数に比例して多くなる。まして、図５に示す比較的小規模の光線路切替システムでなく、更に多くの光線路切替装置を備えた光線路切替システムにおいて、光経路切替作業は作業者にとって面倒であるだけでなく、場合によっては切替ミスも生じさせる恐れもある。
【０００９】
【特許文献１】特開２００３−２４９８９３号公報
【発明の開示】
【発明が解決しようとする課題】
【００１０】
本発明が解決しようとする課題は、遠隔制御端末からコンピュータネットワークを介して複数の通信線路切替装置を遠隔制御して通信線路の切替を行う通信線路切替システムにおいて、伝送リンクを確立すべき２つの通信装置を遠隔制御端末において選択するだけで、通信線路切替システムを構成する複数の通信線路切替装置を遠隔制御して通信線路の切替え前記伝送リンクを自動的に確立することである。
【課題を解決するための手段】
【００１１】
上述の課題を解決するために、通信線路切替システムを複数の遠隔制御可能な通信線路切替装置、遠隔制御コントローラ、遠隔制御端末、及びこれらを接続するコンピュータネットワークとで構成し、前記遠隔制御コントローラに伝送リンク別の通信線路切替情報を蓄積したデータベースメモリを備えさせた。前記遠隔制御コントローラは、コンピュータネットワークを介して前記遠隔制御端末から確立すべき伝送リンク指令を受信すると、指令された伝送リンクの光線路切替情報を前記データベースメモリから読み出し、この読み出した光線路切替情報に基づいて前記光線路切替装置を遠隔制御して光線路を切替え、前記伝送リンクを確立する。
【発明の効果】
【００１２】
本発明により、遠隔制御端末において第１の所在地に設置された複数の通信装置の中の任意の１つと第２の所在地に設置された複数の通信装置の中の任意の１つをそれぞれ選択するだけで、選択された２つの通信装置が自動的にリンクするように複数の光線路切替装置を遠隔制御することができるようになった。従って、選択された２つの通信装置間のリンク作業はただ一回の操作で瞬時に完了し、作業員は複数の光線路切替装置を確認しながら個々に切替えるという面倒な作業から開放された。
【発明を実施するための最良の形態】
【００１３】
本発明に係る通信線路切替システムは、複数の遠隔制御可能な通信線路切替装置、遠隔制御コントローラ、遠隔制御端末、及びこれらを接続するコンピュータネットワークとで構成したものである。そして、前記遠隔制御コントローラは、伝送リンク別の通信線路切替情報等を蓄積したデータベースメモリを備えている。作業員が確立すべき伝送リンク情報を前記遠隔制御端末に入力すると、前記遠隔制御端末は当該伝送リンク情報をコンピュータネットワークを介して前記遠隔制御コントローラに送信する。前記遠隔制御コントローラは前記通信線路切替データベースメモリから当該伝送リンクの通信線路切替情報を読み出し、この読み出した通信線路切替情報に基づいて前記通信線路切替装置を遠隔制御して通信線路を切替えて前記伝送リンクを確立する。
【実施例】
【００１４】
本発明の実施例を、図４の光線路切替システムを備えた通信システムに適用した場合について以下に説明する。本発明の実施例は、図１に示す如く、それぞれのネットワークインターフェース５４を介してローカルエリアネットワークＬＡＮに接続されている光線路切替装置ＳＷ１〜ＳＷ３と、そのネットワークインターフェースを介してローカルエリアネットワークＬＡＮに接続されているパソコンなどの遠隔制御端末３０と、ローカルエリアネットワークＬＡＮに接続されている遠隔制御コントローラ４０で構成されている。
【００１５】
光線路切替装置ＳＷ１〜ＳＷ３は、例えば図６に示す如く、光スイッチ５１、駆動部５２、制御部であるＣＰＵ５３、及び通信部であるネットワークインターフェース５４で構成されている。
【００１６】
遠隔制御コントローラ４０は、制御部であるＣＰＵ４１、通信部であるネットワークインターフェース４２、及びデータベースメモリ４３を備えて構成されている。データベースメモリ４３には、伝送リンク別の通信線路切替情報等が蓄積されている。
【００１７】
データベースメモリ４３に蓄積されている伝送リンク別の通信線路切替情報は、例えば表１に示す如く、接続されるべき一対の通信装置の番号、光線路切替システムを構成する光線路切替装置の種類、確立すべき伝送リンク別の光線路切替装置のスイッチの切替位置などの情報である。伝送リンク別の通信線路切替情報は、遠隔制御端末３０からＬＡＮを介して取得され、データベースメモリ４３に蓄積される。図４の光線路切替システムを備えた通信システムに適用した場合、伝送リンク別の通信線路切替情報は、例えば表１に示す如くである。
【００１８】
【表１】
2005260804.tif 000003
【００１９】
図４に示す光線路切替システムを備えた通信システムにおいて、光線路切替装置ＳＷ１、光線路切替装置ＳＷ２、光線路切替装置ＳＷ３で構成された光線路切替システムは、所在地Ａに設置された複数の通信装置Ｔ１〜Ｔ５の任意の１つと、所在地Ｂに設置された複数の通信装置Ｔ６〜Ｔ９の任意の１つとの伝送リンクを確立する。確立される伝送リンクは第１から第２０まである。
【００２０】
即ち、第１の伝送リンクは通信装置Ｔ１とＴ６の間に、第２の伝送リンクは通信装置Ｔ１とＴ７の間に、第３の伝送リンクは通信装置Ｔ１とＴ８の間に、第４の伝送リンクは通信装置Ｔ１とＴ９の間にそれぞれ確立されるものである。第５の伝送リンクは通信装置Ｔ２とＴ６の間に、第６の伝送リンクは通信装置Ｔ２とＴ７の間に、第７の伝送リンクは通信装置Ｔ２とＴ８の間に、第８の伝送リンクは通信装置Ｔ２とＴ９の間にそれぞれ確立されるものである。第９の伝送リンクは通信装置Ｔ３とＴ６の間に、第１０の伝送リンクは通信装置Ｔ３とＴ７の間に、第１１の伝送リンクは通信装置Ｔ３とＴ８の間に、第１２の伝送リンクは通信装置Ｔ３とＴ９の間にそれぞれ確立されるものである。第１３の伝送リンクは通信装置Ｔ４とＴ６の間に、第１４の伝送リンクは通信装置Ｔ４とＴ７の間に、第１５の伝送リンクは通信装置Ｔ４とＴ８の間に、第１６の伝送リンクは通信装置Ｔ４とＴ９の間にそれぞれ確立されるものである。更に、第１７の伝送リンクは通信装置Ｔ５とＴ６の間に、第１８の伝送リンクは通信装置Ｔ５とＴ７の間に、第１９の伝送リンクは通信装置Ｔ５とＴ８の間に、第２０の伝送リンクは通信装置Ｔ５とＴ９の間にそれぞれ確立されるものである。
【００２１】
これらの伝送リンク毎に、光線路切替システムを構成する光線路切替装置ＳＷ１、光線路切替装置ＳＷ２、光線路切替装置ＳＷ３の切替位置が異なるので、これら光線路切替装置の切替位置がデータベースメモリ４３に蓄積される。なお、表１において、Ｐ１は共通ポートＰ０を接続ポートＰ１に接続するようにスイッチを切替えることを、Ｐ２は共通ポートＰ０を接続ポートＰ２に接続するようにスイッチを切替えることを、Ｐ３は共通ポートＰ０を接続ポートＰ３に接続するようにスイッチを切替えることを、Ｐ４は共通ポートＰ０を接続ポートＰ４に接続するようにスイッチを切替えることをそれぞれ表している。また、Ｐ１／Ｐ２／Ｐ３は、共通ポートＰ０を接続ポートＰ１、Ｐ２、Ｐ３のいずれに接続してもよいことを表している。
【００２２】
本発明の実施例の動作は次の通りである。作業員はキーボードなどの入力装置を操作して遠隔制御の開始を遠隔制御端末３０に入力する。すると、遠隔制御端末３０の表示画面には図２に示す如き仮想の光線路切替スイッチＳＷが表示される。この仮想の光線路切替スイッチＳＷは、図６に示す３個の光線路切替スイッチＳＷ１〜ＳＷ３をあたかも１個で構成したようなものである。そこで、作業員は入力装置を操作して遠隔制御端末３０に、確立すべき伝送リンクを構成する一対の通信装置名を入力する。例えば、Ｔ３−Ｔ７と入力する。すると、遠隔制御端末３０は、コンピュータネットワークであるローカルエリアネットワークＬＡＮを介して、前記一対の通信装置名を遠隔制御コントローラ４０に伝送する。
【００２３】
遠隔制御コントローラ４０は、図３に示す如く動作する。即ち、遠隔制御コントローラ４０において、ＣＰＵ４１はプログラムに従ってネットワークインターフェイス４２を介して第１０の伝送リンクを確立すべき一対の通信装置名Ｔ３−Ｔ７を取得すると（１０２）、データベースメモリ４３から当該第１０の伝送リンクを確立するための通信路切替情報を取得する。この場合の通信路切替情報は、光線路切替システムを構成する光線路切替装置ＳＷ１、光線路切替装置ＳＷ２、光線路切替装置ＳＷ３の切替位置である。即ち、第１０の伝送リンクに対応して、光線路切替装置ＳＷ１は共通ポートＰ０を接続ポートＰ１に、光線路切替装置ＳＷ２は共通ポートＰ０を接続ポートＰ３に、そして光線路切替装置ＳＷ３は共通ポートＰ０を接続ポートＰ２に接続するようにスイッチを切替えるという情報である。
【００２４】
続いて、ＣＰＵ４１はプログラムに従って、データベースメモリ４３から取得した通信路切替情報に基づいて、光線路切替システムを構成する光線路切替装置ＳＷ１、光線路切替装置ＳＷ２、光線路切替装置ＳＷ３に順順に経路切替命令をコンピュータネットワークに送出する（１０４）。光線路切替装置ＳＷ１、光線路切替装置ＳＷ２、光線路切替装置ＳＷ３は、それぞれのネットワークインターフェイス５４から経路切替命令を受信し、それぞれのＣＰＵ５３がプログラムに従って駆動部を５２を制御し、光スイッチ５１を命令された切替位置に切替える。このようにして遠隔制御端末３０から光線路切替装置ＳＷ１、光線路切替装置ＳＷ２、光線路切替装置ＳＷ３で構成された光線路切替システムを、コンピュータネットワークを介して遠隔制御することができる。
【００２５】
上述の実施例において、コンピュータネットワークとしてローカルエリアネットワークＬＡＮを採用したが、インターネット、又はインターネットとＬＡＮを組み合わせたものであってもよい。また、遠隔制御端末は据置型のパソコンに限らず、携帯端末であってもよい。
【図面の簡単な説明】
【００２６】
【図１】本発明の一実施例の光線路切替システムを示す図である。
【図２】本発明の構成要素である遠隔制御端末の表示画面の一例を示す図である。
【図３】本発明の一実施例の光線路切替システムの遠隔動作のフローチャートの一例である。
【図４】光線路切替システムを備えた通信システムの一例である。
【図５】従来の光線路切替システムを示す図である。
【図６】光線路切替装置のブロック図である。
【符号の説明】
【００２７】
１１〜２１  光ファイバーケーブル
３０  遠隔制御端末
４０  遠隔制御コントローラ
４１  ＣＰＵ
４２  ネットワークインターフェイス
４３  データベースメモリ
５０  光線路切替装置
５１  光スイッチ
５２  駆動部
５３  ＣＰＵ
５４  ネットワークインターフェイス
Ｔ１〜Ｔ５  通信装置
ＳＷ  仮想の光線路切替装置
ＳＷ１〜ＳＷ３  光線路切替装置
ＬＡＮ  ローカルエリアネットワーク
【図１】
2005260804.tif 000004
【図２】
2005260804.tif 000005
【図３】
2005260804.tif 000006
【図４】
2005260804.tif 000007
【図５】
2005260804.tif 000008
【図６】
2005260804.tif 000009